(57)【要約】【課題】人体局部を洗浄する衛生洗浄装置において、洗浄開始時、或いは、強弱脈動洗浄時の水量立上がりをよくして洗浄の効率化を図ったものである。【解決手段】洗浄ノズル１に至る洗浄水供給路２に上流側より順に貯水タンク３と給水ポンプ４とがそれぞれ接続されており、この給水ポンプ４は強弱回転を行って、洗浄ノズル１から洗浄水を高水量と低水量の脈動状態で噴出するようにしている。そして、始動、或いは、低水量から高水量への移行時に給水ポンプ４をフル回転して水量の立上がりを良くしている。【選択図】  図１
2004339866.tif 000002
【特許請求の範囲】
【請求項１】
人体局部に向け洗浄水を噴出するノズル手段と、上記ノズル手段に設定量の洗浄水を供給する給水ポンプとを具備し、給水ポンプ始動時、上記給水ポンプからの供給水量を上記設定量よりも多くした衛生洗浄装置。
【請求項２】
人体局部に向け洗浄水を噴出するノズル手段と、周期的に水量を設定高水量と設定低水量に変化させて上記ノズル手段に洗浄水を供給する給水ポンプとを具備し、水量を設定低水量から設定高水量に増加させる領域では給水ポンプからの供給水量を上記設定高水量よりも多くした衛生洗浄装置。
【請求項３】
給水ポンプからノズル手段へ供給される洗浄水の設定量を可変するようにした請求項１または２記載の衛生洗浄装置。
【請求項４】
複数の洗浄水設定量と対応する回転数を記憶手段に記憶させておき、選択された記憶手段の回転数で給水ポンプを制御するようにした請求項２または３記載の衛生洗浄装置。
【請求項５】
給水ポンプからノズル手段へ周期的に供給される設定高水量と設定低水量の少なくともいずれか一方を可変するようにした請求項２記載の衛生洗浄装置。
【請求項６】
複数の洗浄水設定高水量又は複数の洗浄水設定低水量の少なくともいずれか一方の設定量と対応する回転数を記憶手段に記憶させておき、選択された記憶手段の回転数で給水ポンプを制御するようにした請求項５記載の衛生洗浄装置。
【請求項７】
給水ポンプからノズル手段に周期的に供給される洗浄水の一周期に要する時間を記憶手段に複数記憶させておき、選択された記憶手段の時間を一周期として給水ポンプを制御するようにした請求項２、５、６いずれか１項記載の衛生洗浄装置。
【請求項８】
給水ポンプに印加する電圧値を調節することで給水ポンプがノズル手段に供給する洗浄水量を調整することを特徴とした請求項１から７いずれか１項記載の衛生洗浄装置。
【請求項９】
給水ポンプに印加する電圧の位相制御を行うことで給水ポンプがノズル手段に供給する洗浄水量を調整することを特徴とした請求項１から８いずれか１項記載の衛生洗浄装置。
【発明の詳細な説明】
【０００１】
【発明の属する技術分野】
本発明は、人体局部を洗浄するための洗浄水を、給水ポンプを介してノズル手段に供給する衛生洗浄装置に関するものである。
【０００２】
【従来の技術】
従来、この種の衛生洗浄装置は、図５に示すように、洗浄ノズル３１に至る洗浄水供給路３２に止水電磁弁３３、ヒータ３４を内設した温水タンク３５，開閉弁３６を上流側から順に接続していた。
【０００３】
止水電磁弁３３は洗浄スイッチ３７を操作することで全開し、停止スイッチ３８を操作することで全閉されるもので、またヒータ３４は温度制御回路３９でその出力などが制御されるようにしてある。
【０００４】
開閉弁３６は、間欠駆動スイッチ４０を操作して間欠駆動回路４１を作動させることによって洗浄水供給路３２の開口度をオンーオフ、または増減するものである（特許文献１）。
【０００５】
今、洗浄スイッチ３７を操作して止水電磁弁３３を開くとともに、間欠駆動スイッチ４０を操作して開閉弁３６の開口度を増減制御すると、温水タンク３５の温水は洗浄ノズル３１から噴出され、その噴出形態は強水流−弱水流の、いわゆる脈動となる。もちろん、温水の噴出形態はオンーオフの間欠的なものも考えられる。
【０００６】
【特許文献１】
特開平８−２４６５３６号公報
【０００７】
【発明が解決しようとする課題】
しかしながら、従来の構成では、人体局部洗浄を行う場合、開閉弁の弁開口度を制御することで洗浄ノズルから噴出される洗浄水量の増減を行っていたため、設定洗浄水量まで開閉弁の弁開口度を調整するのに時間がかかり、急激には洗浄ノズルから噴出される洗浄水量を増加させることができないという課題を有していた。
【０００８】
本発明は、前記従来の課題を解決するものであり、洗浄開始時に速やかに洗浄水量を増加させることを目的としたものである。
【０００９】
【課題を解決するための手段】
本発明の衛生洗浄装置は、人体局部に向け洗浄水を噴出するノズル手段と、上記ノズル手段に設定量の洗浄水を供給する給水ポンプとで構成し、給水ポンプ始動時に、給水ポンプからの給水量を上記設定量よりも多く供給するようにした。
【００１０】
これにより、洗浄開始から洗浄水が人体局部に到達するまでの時間を短縮することが可能となる。
【００１１】
【発明の実施の形態】
本発明の実施の形態は、人体局部に向け洗浄水を噴出するノズル手段と、上記ノズル手段に設定量の洗浄水を供給する給水ポンプとを具備し、給水ポンプ始動時、上記給水ポンプからの供給水量を上記設定量よりも多くするように制御する。
【００１２】
これにより、洗浄を開始させ、人体局部に洗浄水が達するまでの時間を短縮することが可能である。
【００１３】
また、上記のように構成された衛生洗浄装置に、複数の洗浄水設定量と対応する回転数を記憶する記憶手段を設けることにより、選択された記憶手段の回転数で給水ポンプを制御することができ、使用者の好みに合わせた洗浄水量パターンでの洗浄が可能となる。
【００１４】
また、人体局部に向け洗浄水を噴出するノズル手段と、周期的に水量を設定高水量と設定低水量に変化させて上記ノズル手段に洗浄水を供給する給水ポンプとを具備し、水量を設定低水量から設定高水量に増加させる領域では給水ポンプからの供給水量を上記設定高水量よりも多くするように制御する。
【００１５】
これにより、人体局部洗浄中に弱い洗浄水量から強い洗浄水量に変化させる場合において、短時間で設定された洗浄水量に到達することができ、洗浄水を効率的に使用することができる。
【００１６】
また、上記のように構成された衛生洗浄装置に、複数の洗浄水設定高水量又は複数の設定低水量の少なくともいずれか一方の設定量と対応する回転数を記憶する記憶手段を設けることにより、選択された記憶手段の回転数で給水ポンプを制御することができ、使用者が好む設定高水量パターン、設定低水量パターンで周期的に洗浄水をノズル手段に供給することができる。
【００１７】
また、周期的に洗浄水量を変化させる場合において、給水ポンプからノズル手段に周期的に供給される洗浄水の一周期に要する時間を記憶手段に複数記憶させておくことで、選択された時間を一周期として給水ポンプを制御することが可能である。
【００１８】
また、上記給水ポンプを、印加する電圧値によってノズル手段に供給する洗浄水量を調節することができる構成とし、制御手段は、給水ポンプに印加する電圧値を調節することで給水ポンプがノズル手段に供給する洗浄水量を調整する構成にすることにより、短時間での人体局部洗浄が可能であり、かつ貯水タンクに蓄えられている洗浄水を効率的に使用することができる。
【００１９】
さらに、上記給水ポンプを、印加電圧の位相制御を行うことによりノズル手段に供給する洗浄水量を調節することができる構成とし、制御手段は、給水ポンプに印可する電圧の位相制御を行うことで給水ポンプがノズル手段に供給する洗浄水量を調整することにより、短時間での人体局部洗浄が可能であり、かつ貯水タンクに蓄えられている洗浄水を効率的に使用することができる。
【００２０】
【実施例】
以下、本発明の実施例について図１〜図４を参照しながら説明する。
【００２１】
（実施例１）
図１において、洗浄ノズル１に至る洗浄水供給路２には上流側より順に貯水タンク３と給水ポンプ４とがそれぞれ接続されている。貯水タンク３の水は適宜ヒータなどの加熱手段で加熱されるようにしてある。
【００２２】
制御手段５は、給水ポンプ４の回転数を所定周期で増減させる洗浄周期設定手段６と、この洗浄周期設定手段６の周期を複数記憶している周期記憶手段７とを具備するものである。
【００２３】
つまり、給水ポンプ４は、周期記憶手段７で周期が選択された洗浄周期設定手段６を介してその回転数が所定周期で増減し、これに伴って洗浄ノズル１からは洗浄水が強弱脈動状態で噴出されることとなる。
【００２４】
図２はそのときの洗浄水噴出状態を示すもので、給水ポンプ４が高速回転している際のが毎分１２００ｃｃ、給水ポンプ４が低速回転している際の低水量が毎分８００ｃｃに設定してある。またこのときの周期は１０秒に選定されている。
【００２５】
したがって、本実施例では周期記憶手段７に記憶されている範囲で前記周期を１５秒とか７秒とかに変更することができ、また前記高水量と低水量の少なくとも一方の値は、制御手段５に設けた洗浄水量記憶手段８に記憶された範囲で選択調整できるようになっている。
【００２６】
前記周期記憶手段７および洗浄水量記憶手段８の記憶値選択は操作手段９で操作されるものである。
【００２７】
ところで、前記実施例の構成において、給水ポンプ４の始動時および低水量から高水量に移行させる過程でどうしても立上がり時間が必要である。
しかし、立上がり時間が長いと高水量と低水量との周期を短くできないし、強弱脈動が不確実となって的確な洗浄効果が期待できないおそれが生じるものである。
【００２８】
制御手段５は、始動時および低水量から高水量に移行させる過程において、設定された高水量よりも高い供給水量となるように一時的に給水ポンプ４の回転数を増加させるようにしている。
【００２９】
したがって、始動時および低水量から高水量に移行させる過程での立上がり特性が向上し、強弱脈動を確実に実現できるととともに、周期の調整も的確に行えるようになる。
【００３０】
始動時および低水量から高水量に移行させる過程における給水ポンプ４の回転数増加は、一義的には最高出力のもとで行い、設定された高水量に達した時点で所定回転数に落とすことが考えられる。もちろん、設定高水量以上の供給水量であれば、給水ポンプ４の回転数として最高出力に拘ることはない。
【００３１】
前記給水ポンプ４の回転は、電圧制御、或いは位相制御などの手段で簡単に実現できるであろう。
【００３２】
なお、前記実施例では、強弱脈動状態で洗浄水を噴出する場合について述べたが、本精神はではなく、脈動させず、所定量で洗浄水を噴出する場合の始動時においても効果があることは今更云うまでもないことである。
【００３３】
（実施例２）
図３は実施例２を示し、実施例１と異なる点は、制御手段５のと関連づけて周期測定手段１０を付加したところにある。
【００３４】
前記洗浄周期設定手段６は図４の例では、強弱脈動噴出が２周期行われた場合に給水ポンプ４を停止するようにしたものである。その結果、洗浄動作が無駄なくできるようにすることができる。
【００３５】
洗浄周期設定手段６での設定周期は操作手段９の操作によって任意に調整できるものである。
【００３６】
また図４では高水量を毎分１３００ｃｃ、低水量を毎分７００ｃｃとしたが、洗浄水量記憶手段８の記憶値を変更すれば、それらの量は変更可能で、例えば、高水量を毎分１２００ｃｃ、低水量を毎分８００ｃｃというように設定できるものである。
【００３７】
【発明の効果】
このように本発明によれば、ノズル手段と、上記ノズル手段に設定量の洗浄水を供給する給水ポンプを備えた衛生洗浄装置において、給水ポンプ始動時、或いは増量時にその供給水量を設定量よりも多くすることで、洗浄開始から人体局部に洗浄水が達するまでの時間を短縮することができ、洗浄水を効率的に使用することができるものである。
【図面の簡単な説明】
【図１】本発明の実施例１における衛生洗浄装置のブロック図
【図２】実施例１における洗浄経過時間と給水ポンプがノズル手段へ供給する洗浄水量の関係をしめす説明図
【図３】本発明の実施例２における衛生洗浄装置のブロック図
【図４】実施例２における洗浄経過時間と給水ポンプがノズル手段へ供給する洗浄水量の関係をしめす説明図
【図５】従来の衛生洗浄装置の構成図
【符号の説明】
１  ノズル手段
４  給水ポンプ
【図１】
2004339866.tif 000003
【図２】
2004339866.tif 000004
【図３】
2004339866.tif 000005
【図４】
2004339866.tif 000006
【図５】
2004339866.tif 000007